(57)【特許請求の範囲】
【請求項１】
回転印フレームに架設される複数の回転子と橋架部間に無端印字ベルトを懸装した回転印と、この回転印を前記した回転子が外部に露呈された状態として昇降動自在に被套している鞘体と、この鞘体の先端が常時は回転印の印字面より先に位置するように弾発する弾発部材と、鞘体の先端開口に近い位置に設けられて常時は印字面が鞘体の先端開口に向け露呈されることがない全閉状態を保持しているが押印操作により鞘体が上昇されるにつれて開かれるシャッタ部材とよりなる回転印判であって、前記した鞘体の先端開口より回転印の前記した印字面の印字配列を覗き視ることができる半開状態にシャッタ部材を保持できるロック機構を組み込んであることを特徴とする回転印判。
【請求項２】
シャッタ部材が、鞘体の先端開口に近い対向位置に基部を枢支させて先端同士を接触させている一対の遮蔽板であり、ロック機構が、鞘体の内面に形成されて押印操作に伴う回転印の下降と連動して捺印可能な状態に開かれる一対の遮蔽板を開放させる位置に回転印を位置決めする係止部付きの係合溝と、回転印フレームに設けられて該係止部に係合される係止ピンとよりなるものとしたことを特徴とする請求項１に記載の回転印判。
【請求項３】
係止部が係合溝に多段に形成されている請求項２に記載の回転印判。
【請求項４】
係合溝の上端部に回転印フレームの係止ピンと係合して回転印を上昇位置においてロックする水平溝を形成してある請求項２または３に記載の回転印判。
【請求項５】
係合溝の下端部に回転印フレームの係止ピンと係合して回転印を捺印可能な下降位置においてロックする水平溝を形成してある請求項２または３に記載の回転印判。
【請求項６】
鞘体に回転印の回転子を覆う遮蔽部を形成してある請求項１から５のいずれかに記載の回転印判。
【請求項７】
回転印の回転子が上下多段に配設されている請求項１から６のいずれかに記載の回転印判。
【請求項８】
回転印の無端印字ベルトの印字部を囲んでマスター印部が形成されている請求項１から７のいずれかに記載の回転印判。
【発明の詳細な説明】
【技術分野】
【０００１】
本発明は、押印操作時以外においては無端印字ベルトを備えた回転印の印字面が外部に露呈されることがないようにシャッタ部材で覆ってある回転印判に関するものである。
【背景技術】
【０００２】
従来、連続捺印を可能とした印判において、押印操作時以外は印字面を覆うシャッタを設けて、印字面が傷付いたり、ゴミが付着したり、印字面により手や衣服を汚すことがないようにしたりする印判は知られている（例えば、特許文献１、２、３参照）。
【０００３】
しかしながら、特許文献１、２、３に記載されているものは、いずれも固定印判であるから単純にシャッタを捺印時の押印操作で鞘体を押圧して開放すればよいが、日付印のように回転操作で印字面を変更させる回転印判において、印字面を変更するためには印字面を視認しながら回転子を操作する必要があり、このような印字面を変更するためには、押印操作を行なうことなく必要時にシャッタを開放できるようにする必要があり、このような回転印判は構造が複雑となるために未だ市販されていない。
【特許文献１】実公平７−２６１２７号
【特許文献２】特公平７−９０８７１号
【特許文献２】特開２００６−２０５４４０号
【発明の開示】
【発明が解決しようとする課題】
【０００４】
本発明は、常時は印字面がシャッタにより遮蔽されている回転印判の印字面の変更を簡単に行うことができる回転印判を提供することを目的とする。
【課題を解決するための手段】
【０００５】
前記のような目的を達成することのできる本発明の回転印判は、回転印フレームに架設される複数の回転子と橋架部間に無端印字ベルトを懸装した回転印と、この回転印を前記した回転子が外部に露呈された状態として昇降動自在に被套している鞘体と、この鞘体の先端が常時は回転印の印字面より先に位置するように弾発する弾発部材と、鞘体の先端開口に近い位置に設けられて常時は印字面が鞘体の先端開口に向け露呈されることがない全閉状態を保持しているが押印操作により鞘体が上昇されるにつれて開かれるシャッタ部材とよりなる回転印判であって、前記した鞘体の先端開口より回転印の前記した印字面の印字配列を覗き視ることができる半開状態にシャッタ部材を保持できるロック機構を組み込んであることを特徴とする。
【０００６】
なお、シャッタ部材やロック機構としては、種々考えられるが、シャッタ部材としては鞘体の先端開口に近い対向位置に基部を枢支させて先端同士を接触させている一対の遮蔽板、ロック機構としては、鞘体の内面に形成されて押印操作に伴う回転印の下降と連動して捺印可能な状態に開かれる一対の遮蔽板を開放させる位置に回転印を位置決めする係止部付きの係合溝と、回転印フレームに設けられて該係止部に係合される係止ピンとよりなるものが構造が簡単なうえに安定した操作がえられるので好ましく、また、この場合、係合溝に係止部を多段に形成したり、係合溝の上端部または下端部に回転印フレームの係止ピンと係合して回転印を下降位置または上昇位置においてロックする水平溝を形成したり、鞘体に回転印の回転子を覆う遮蔽部を形成したりすることが好ましい。さらに、回転印の回転子を上下多段に配設しておいたり、回転印の無端印字ベルトの印字部を囲んでマスター印部を形成してもよい。
【発明の効果】
【０００７】
本発明では、鞘体の先端開口より前記した印字面の印字配列を覗き視ることができる半開状態にシャッタ部材を保持できるロック機構を組み込んであるので、日付印のように回転操作で印字面を変更させる回転印判において、印字面を変更したいときには押圧操作を行なうことなくいつでも必要時に簡単な操作で印字面を視認することができる。また、シャッタ部材が、鞘体の先端開口に近い対向位置に基部を枢支させて先端同士を接触させている一対の遮蔽板であり、ストッパ機構が、鞘体の内面に形成されて押印操作に伴う回転印の下降と連動して捺印可能な状態に開かれる一対の遮蔽板を開放させる位置に回転印を位置決めする係止部付きの係合溝と、回転印フレームに設けられて該係合溝に係合される係止ピンとよりなるものとしたときは、特に構造が簡単なうえに安定した操作が得られることとなる。
【０００８】
また、係合溝に係止部を多段に形成しておけば、回転印の位置決め位置を変更することにより、印字面位置を鞘体の先端から近付けたり遠ざけたりできるので、印字面の清掃する際には鞘体の先端に印字面を近付けることにより清掃作業が簡単になる。
【０００９】
さらに、係合溝の上端部に回転印フレームの係止ピンと係合して回転印を上昇位置においてロックする水平溝を形成することにより、回転印が不用意に下降して鞘体の先端より印字面が露呈して他物を汚す恐れがないものとなり、また、係合溝の下端部に回転印フレームの係止ピンと係合して回転印を下降位置においてロックする水平溝を形成しておけば、常に鞘体の先端より印字面が露呈した捺印可能な状態に保持できるので連続捺印を行なう際、回転印を捺印毎に上昇させる必要がなり、捺印作業をスピードアップできるものとなる。
【００１０】
さらにまた、鞘体に回転印の回転子を覆う遮蔽部を形成することにより、不使用時には、回転子を遮蔽部により覆っておけば、他物に当たったりして不用意に回転子が回転し印字面が変更されることを的確に防止できる。
【００１１】
また、複数の回転子を上下多段に配設しておけば、回転子の配置位置を分散できるので回転子間隔を充分確保して回転子操作を円滑に行なえるものとなる。
【００１２】
なお、回転印の無端印字ベルトの印字部を囲んでマスター印を配設することにより、変更できる印字面と固定の印字面による多様な捺印パターンを作成することができる。
【発明を実施するための最良の形態】
【００１３】
以下、本発明の実施の形態を図面に基づいて詳細に説明する。
図１において、１はマスター印付きの回転印本体である。この回転印本体１は、無端印字ベルト２を回動させる回転子３を備えた回転子フレーム４を回転印フレーム５に装着した回転印６と、前記無端印字ベルト２の印字部を囲むマスター印７と、回転印フレーム５を被套する鞘体８と、この鞘体８の先端開口に近い位置に設けられて常時は無端印字ベルト２の印字部の印字面が鞘体８の先端開口に向け露呈されることがない全閉状態を保持しているが押印操作により鞘体８が上昇されるにつれて開かれるシャッタ部材９とからなるものである。
【００１４】
前記回転子フレーム４は、図２１に示されるように、回転子３の回転軸３ａ、３ｂを軸支する軸受４ａ、４ｂを上下２段に配設するとともに、下部に無端印字ベルト２を懸ける橋架部４ｃを形成した略Ｕ字状のものである。回転軸３ａ、３ｂを多段に配設することにより回転子３の配設間隔を広げることができるので、回転子の操作時、隣接する回転子３を共回りさせることを的確に防止できるものとなる。
【００１５】
また、前記回転印フレーム５は図２２に示されるように、分割成形された半割部材を組み合わせて小径筒部５ａと大径筒部５ｂとからなる段付きの略円筒体であり、大径筒部５ｂの周面に１８０°間隔で形成された凹弧面５ｃに回転子３を張出させる切欠部５ｄが形成されている。また、大径筒部５ｂの上端には前記凹弧面５ｃとは位相を９０°ずらして１８０°間隔で後記する係止ピン５ｅが突出形成されている。
【００１６】
前記回転印フレーム５の小径筒部５ａの上端には把持部５０が嵌合される。該把持部５０は鞘体８に摺動自在に嵌挿される。また、１０はコイルばね等の弾性部材であり、該弾性部材１０は把持部５０の天板内面と鞘体８の上端間に装着されて把持部５０と鞘体８間を離隔する方向に付勢している。
【００１７】
また、図示したシャッタ部材９は、先端に係合突片１２ａと係合受縁１２ｂとよりなる凹凸端縁を形成するとともに、他端に取付用の挿込片１３を形成した略半円形状の遮蔽板１１、１１とからなり、この遮蔽板１１、１１は弾性によりそれぞれの係合突片１２ａと係合受縁１２ｂとが常時互い違いに組み合うようになっており、また、基部の挿込片１３は鞘体８の先端に設けられるシャッタ部材９の取付筒８０に形成される１８０°間隔で対向して配設される挿込溝８０ａ、８０ａに挿し込まれて遮蔽板１１、１１を枢支可能に固定するもので、各遮蔽板１１、１１はその弾性により凹凸端縁を互い違いに係合されて常時は印字面を隠蔽しているが、下降する回転印６の先端外周面が当接されることにより遮蔽板１１、１１は押し開かれる。
【００１８】
また、鞘体８は回転子３を露呈させる長窓孔８ａ、８ａと回転子３を覆う遮蔽部８ｂとが形成されたもので、捺印時や回転印６の印字面を変更するとき以外は回転子３は遮蔽部８ｂにより遮蔽されて他物に触れたりして不用意に動くことがないようにしている。１５は鞘体８の内面に形成される回転印フレーム５の係止ピン５ｅを係合させる係合溝であり、該係合溝１５は水平溝１５ａと垂直溝１５ｂと垂直溝１５ｂに形成される斜め上向きの係止部１５ｃとからなり、水平溝１５ａは回転印６の捺印動作をロックさせるロック機能をもち、垂直部１５ｂは回転印６の捺印動作をガイドする機能をもっている。
【００１９】
また、前記係止部１５ｃは回転印フレーム５の係止ピン５ｅを係止させて、回転印６をシャッタ部材９は開放されるが回転印６の印字面は鞘体８の先端に取り付けられた取付筒８０の先端から露出されない位置に位置決めされる。係止ピン５ｅの係止状態は弾性部材１０によって回転印フレーム５が常時上向きに付勢され、係止部１５ｃに係止ピン５ｅが押圧されることにより行なわれる。
【００２０】
また、水平溝１５ａは鞘体８の円周内面の１／４（９０°）に形成されており、鞘体８を右回り方向に９０°回動させれば回転子３は遮蔽部８ｂにより被套されるとともに、回転印６の捺印動作をロックするので、この水平溝１５ａを係合溝１５の上端部に形成したときはポケットやバッグ等に入れて持ち運んでも印字面が不用意に露出されてインキが衣服や手に付着することがないうえに、回転子３が不用意に回動されて印字面が変更されることがない。また、水平溝１５ａを垂直部１５ｂの下端部に形成すれば、鞘体の先端より印字面が露呈した捺印状態をロックすることができるので、連続捺印を行なう際、回転印６を捺印毎に上昇させる必要がなくなり、捺印作業をスピードアップできる。さらに、上端部あるいは下端部に形成される水平溝１５ａのロック位置近傍に突起を設けて係止ピン５ｅが該突起を乗り越えてロック位置に配置されるようにすれば、クリック感が生じるのでロック位置に達したことを感知できるうえに、携帯時や収納時に使用者の意思に反して印字面が露呈することがないので、他物をインキで汚損させることを防止できる。
【００２１】
１８は回転子フレーム４を付勢して無端印字ベルト２に張力を与えるテンションばねである。３ｃは回転子３のノッチ部、３ｄは無端印字ベルト２を巻き掛ける回転子３の軸筒部であり、この軸筒部３ｄの外周面には無端印字ベルト２の滑り止めする角錐状の突起１９が千鳥状に配設されている。２０は回転子３間に配置されるセパレータである。
【００２２】
２１は無端印字ベルト２にインキを供給する第１インキ吸蔵体であり、２２は第１インキ吸蔵体２１の上に重ねられる第２インキ吸蔵体である。また、２３は把持部５０に貼付される回転印６のロック方向を指示する表示ラベル、２４は鞘体８に貼付される日付変更位置指示線の表示ラベル、２５は回転印フレーム５に貼付される日付変更位置支持線との合せ線の表示ラベル，２６はマスター印７のインキ吸蔵体である。
【００２３】
このような回転印判を使用する際には、まず、鞘体８の長窓孔８ａより露呈される各回転子３をそのノッチ部３ｃを介して適宜回動させて印字面を所望の内容に変更する。
【００２４】
前記操作により印字面を変更した後、把持部５０を把持して回転印６を押し下げれば、回転印フレーム５の係止ピン５ｅは鞘体８の垂直溝１５ｂにガイドされて回転印６を下降させることとなる。この下降により回転印６の先端外周面はシャッタ部材９の遮蔽板１１、１１に接触して押し開けることによりシャッタ部材９は開放される。開放されたシャッタ部９を通じて回転印６はさらに下降して図１３〜１８示されるように取付筒８０の先端より印字面を露呈させることとなり、回転印６とマスター印７とによる捺印が行われる。
【００２５】
また、回転印６の印字面を変更する場合は、鞘体８に対して回転印６を若干下降させて、図７〜１２に示されるように、鞘体８の日付変更位置指示線２４と回転印フレーム５の合せ線２５とを一致させる。このときシャッタ部材９は開放されている。この状態で鞘体８に対して回転印６を若干右回り方向に回動させることにより、係止ピン４ｂは係止部１５ｃに係止され、回転印６は弾性部材１０の付勢力により係止状態が位置決め維持されることとなる。このとき印字面は鞘体８内に位置しているため、印字面の変更時に衣服や指にインキが付着されることは防止される。このようにシャッタ部材９が開放されて露出している印字面を見ながら回転子３のノッチ部３ｃを回動させて印字面を変更する。
【００２６】
印字面の変更が完了したら、鞘体８に対して回転印６を前記とは逆の左回り方向に少し回動させて係止ピン５ｅと係合溝１５の係止部１５ｃとの係止を解けば、回転印６は旧状に復帰上昇される。これによりシャッタ部材９の遮蔽板１１、１１は弾性復帰して再び印字面を遮蔽することとなる。
【００２７】
印字面の変更後、前記と同様にして捺印動作を行えば、変更された回転印６の印字面とマスター印２の印字面による捺印が行なわれることとなる。
【００２８】
このようにして捺印が完了したら、鞘体８を回転印６に対して左回り方向に回転させれば、係止ピン５ｅは係合溝１５の水平溝１５ａの始端に係止されることとなるので、把持部５０が不用意に押さえられても捺印動作は行われないので、ポケットやバッグ等に入れていても印字面のインキにより他物を汚す恐れがない。しかも、この状態では回転子３のノッチ部３ｃは鞘体８の遮蔽部８ｂにより覆われているので、回転子３が不用意に回されて印字面が変わることがないので、予期しない変更操作が行われることによる誤捺印を確実に防止できるものとなる。
【００２９】
なお、係止部１５ｃは実施形態では一つ形成されているが、図２３に示されるように複数設けて、回転印６の印字面が鞘体８の先端に近接するようにして、印字面の清掃等が容易に行なえるようにしてもよいことはいうまでもない。
【図面の簡単な説明】
【００３０】
【図１】本発明の実施の形態においてロック状態を示す前向き断面図である。
【図２】同じく横向き断面図である。
【図３】同じく正面図である。
【図４】同じく側面図である。
【図５】同じく底面図である。
【図６】同じく斜視図である。
【図７】本発明の実施の形態において印字面変更状態を示す横向き断面図ある。
【図８】同じく前向き断面図である。
【図９】同じく正面図である。
【図１０】同じく側面図である。
【図１１】同じく底面図である。
【図１２】同じく斜視図である。
【図１３】本発明の実施の形態において捺印状態を示す横向き断面図である。
【図１４】同じく前向き断面図である。
【図１５】同じく正面図である。
【図１６】同じく側面図である。
【図１７】同じく底面図である。
【図１８】同じく斜視図である。
【図１９】本発明の実施の形態の鞘体を半割して示す正面図である。
【図２０】同じく斜視図である。
【図２１】本発明の回転子フレームの斜視図である。
【図２２】本発明の回転印フレームの斜視図である。
【図２３】本発明の鞘体の他の実施形態を半割して示す正面図である。
【符号の説明】
【００３１】
２    無端印字ベルト
３    回転子
４ｃ  橋架部
５    回転印フレーム
５ｅ  係止ピン
６    回転印
７    マスター印
８    鞘体
８ｂ  遮蔽部
９    シャッタ部材
１０  弾発部材
１１  遮蔽板
１５ｃ  係止部
１５    係合溝
１５ａ  水平溝
５０  把持部
【図１】
0005125354.tif 000002
【図２】
0005125354.tif 000003
【図３】
0005125354.tif 000004
【図４】
0005125354.tif 000005
【図５】
0005125354.tif 000006
【図６】
0005125354.tif 000007
【図７】
0005125354.tif 000008
【図８】
0005125354.tif 000009
【図９】
0005125354.tif 000010
【図１０】
0005125354.tif 000011
【図１１】
0005125354.tif 000012
【図１２】
0005125354.tif 000013
【図１３】
0005125354.tif 000014
【図１４】
0005125354.tif 000015
【図１５】
0005125354.tif 000016
【図１６】
0005125354.tif 000017
【図１７】
0005125354.tif 000018
【図１８】
0005125354.tif 000019
【図１９】
0005125354.tif 000020
【図２０】
0005125354.tif 000021
【図２１】
0005125354.tif 000022
【図２２】
0005125354.tif 000023
【図２３】
0005125354.tif 000024